(57)【要約】【課題】メモリに記憶された制御値が、製造過程で発生するトラッキングフィルタを構成する各同調素子の値のバラツキに対し対応可能な値になっていないという課題があった。【解決手段】第１のトラッキングフィルタ２および第２のトラッキングフィルタ４のバリキャップダイオードに供給するセンタ周波数制御電圧を、ＰＬＬ回路８が出力した制御電圧を調整したときの自動利得制御回路６が出力する自動利得制御電圧の変化をもとに決定された第１および第２のトラッキングフィルタ用の補正値により補正するための第１の補正用演算アンプ１１と第２の補正用演算アンプ１０とを備える。【選択図】        図１
2004215034.tif 000002
【特許請求の範囲】
【請求項１】
受信周波数に応じてローカル発振制御を行う位相ロック回路の制御電圧をもとに、トラッキングフィルタの同調特性を自動調整可能に行うチューナにおいて、
前記位相ロック回路が出力した前記制御電圧を調整したときの自動利得制御回路が出力する自動利得制御電圧の変化をもとに決定された補正値により、前記制御電圧を補正する補正回路を備えたことを特徴とするトラッキングフィルタの自動調整可能なチューナ。
【請求項２】
受信周波数に対応させて制御電圧を補正する補正値を記憶した記憶手段を備えたことを特徴とする請求項１記載のトラッキングフィルタの自動調整可能なチューナ。
【請求項３】
記憶手段に記憶される補正値は、位相ロック回路が出力する制御電圧の補正値を変化させたとき、自動利得制御回路が出力する自動利得制御電圧の変化がピークを示したときの補正値であることを特徴とする請求項２記載のトラッキングフィルタの自動調整可能なチューナ。
【請求項４】
記憶手段に記憶される補正値は、全受信周波数帯の各受信周波数ごとに位相ロック回路が出力する制御電圧の補正値を変化させたとき、自動利得制御回路が出力する自動利得制御電圧の変化がピークを示したときの補正値であることを特徴とする請求項３記載のトラッキングフィルタの自動調整可能なチューナ。
【請求項５】
記憶手段に記憶される補正値は、全受信周波数帯のうちの特定の受信周波数ごとに位相ロック回路が出力する制御電圧の補正値を変化させたとき、自動利得制御回路が出力する自動利得制御電圧の変化がピークを示したときの補正値と、前記特定の受信周波数ごとの補正値をもとに演算して求められた前記特定の受信周波数以外の受信周波数についての補正値であることを特徴とする請求項３記載のトラッキングフィルタの自動調整可能なチューナ。
【発明の詳細な説明】
【０００１】
【発明の属する技術分野】
この発明は、トラッキングフィルタの自動調整可能なチューナに関するものである。
【０００２】
【従来の技術】
従来、チューナ部のフロントエンド前段には、受信周波数ごとにそのセンタ周波数を変化させる目的で電圧制御により容量が変化するバリキャップダイオードを用いてトラッキングフィルタを構成する場合が多い。
このような従来のバリキャップダイオードを用いたトラッキングフィルタのセンタ周波数を受信周波数ごとに変化させる手法では、ローカル発振制御用の制御電圧を用いて前記バリキャップダイオードの制御を行なっているが、部品ごとのばらつきを含めフィルタとしての特性を最良に設定するためには、さらに空芯コイルを人手により調整するといった熟練技術が必要であった。
なお、このような受信周波数に対しフィルタのセンタ周波数を自動調整するものとして、高周波増幅部の選択増幅器の同調素子を、中間周波信号強度が最大になるように可変制御するようにしたＲＦ部自動調整機能を有するシンセサイザーチューナがある（例えば、特許文献１参照）。
【０００３】
また、複数の電圧制御同調手段を制御する制御値をそれぞれ記憶し、この記憶された制御値を用いて複数の電圧制御同調手段の制御を行うようにしたものがある（例えば、特許文献２参照）。
【０００４】
【特許文献１】
特開昭６０−１２８２８号公報（第２頁、第１図、第２図）
【特許文献２】
特開平１１−１６８３９９号公報（第３頁、第１図）
【０００５】
【発明が解決しようとする課題】
従来のトラッキングフィルタの自動調整可能なチューナは以上のように構成されているので、前記特許文献１に開示されている技術においては、受信機が同調するたびに、バリキャップダイオード等で構成されたトラッキングフィルタを通過する信号号強度を測定し、この信号強度が最大になるようにバリキャップダイオードの制御電圧を変化させてトラッキングフィルタの特性を設定する必要があり、最適な同調特性を得るまでに時間を要し、さらに前記信号強度の測定に伴って損失が発生し、トラッキングフィルタを通過する信号強度が低下するため、精度の高い調整が難しいという課題があった。
【０００６】
また、特許文献２に開示された技術においては、トラッキングフィルタ特性の調整に用いるメモリに記憶された制御値が、製造過程で発生するトラッキングフィルタを構成する各同調素子の値のばらつきに対し対応可能な値となっているのかという課題があった。
【０００７】
この発明は、トラッキングフィルタを構成する各同調素子の値のばらつきを含む回路ごとの個体差の違いを吸収して全ての受信周波数に対応したトラッキングフィルタの調整を自動的に行うことのできるトラッキングフィルタの自動調整可能なチューナを提供することを目的とする。
【０００８】
【課題を解決するための手段】
この発明に係るトラッキングフィルタの自動調整可能なチューナは、位相ロック回路が出力した制御電圧を調整したときの自動利得制御回路が出力する自動利得制御電圧の変化をもとに決定された補正値により、前記制御電圧を補正する補正回路を備えたものである。
【０００９】
【発明の実施の形態】
以下、この発明の実施の一形態について説明する。
実施の形態１．
図１は、この実施の形態１のトラッキングフィルタの自動調整可能なチューナの構成を示すブロック図である。このトラッキングフィルタの自動調整可能なチューナは、受信アンテナ１、第１のトラッキングフィルタ２、アンプ３、第２のトラッキングフィルタ４、ミキサ５、自動利得制御回路６、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ、記憶手段）７、ＰＬＬ（Ｐｈａｓｅ  Ｌｏｃｋｅｄ  Ｌｏｏｐ）回路（位相ロック回路）８、電圧制御発振回路（位相ロック回路）９、第１の補正用演算アンプ（補正回路）１１、第２の補正用演算アンプ（補正回路）１０などを備えている。
【００１０】
受信アンテナ１は、放送局から放射される電波を受信し電気信号に変換する。第１のトラッキングフィルタ２は、受信アンテナ１により変換された電気信号から希望信号周波数を検出するための通過帯域のセンタ周波数を規定するものであり、センタ周波数制御電圧により容量が変化するバリキャップダイオードを備えている。
アンプ３は、第１のトラッキングフィルタ２により抽出された希望信号周波数を増幅する。第２のトラッキングフィルタ４は、アンプ３の出力に対し希望信号周波数を検出するための通過帯域のセンタ周波数を規定するものであり、センタ周波数制御電圧により容量が変化するバリキャップダイオードを備えている。
【００１１】
ミキサ５は、第２のトラッキングフィルタ４により抽出された希望信号周波数とローカル周波数信号とをミキシングし中間周波数信号を出力する。自動利得制御回路６はミキサ５の出力をもとにアンプ３の利得制御を行う。また、この自動利得制御回路６はそのＡＧＣ制御電圧を、ミキサ５が出力する中間周波数信号の信号強度を判定するための信号強度モニタ信号として出力する。ＥＥＰＲＯＭ７は第１のトラッキングフィルタ２および第２のトラッキングフィルタ４のセンタ周波数を補正するための補正値を記憶する。ＰＬＬ回路８は、ＰＬＬ設定データと電圧制御発振回路９が現在出力している発振周波数とをもとに電圧制御発振回路９の発振周波数を前記ＰＬＬ設定データに応じた発振周波数に制御するための制御電圧ＶＴを生成する。電圧制御発振回路９は、ＰＬＬ回路８が生成した制御電圧ＶＴをもとにローカル周波数信号を生成する。
【００１２】
第２の補正用演算アンプ１０は、第２のトラッキングフィルタ４へ供給される制御電圧ＶＴを補正する補正値と、前記制御電圧ＶＴがそれぞれ入力される入力端子を有し、前記補正値と前記制御電圧ＶＴとをもとに生成した第２のトラッキングフィルタ４のセンタ周波数を制御するためのセンタ周波数制御電圧を、第２のトラッキングフィルタ４のバリキャップダイオードに供給する。第１の補正用演算アンプ１１は、第１のトラッキングフィルタ２へ供給される制御電圧ＶＴを補正する補正値と、前記制御電圧ＶＴとがそれぞれ入力される入力端子を有し、前記補正値と前記制御電圧ＶＴとをもとに生成した第１のトラッキングフィルタ２のセンタ周波数を制御するためのセンタ周波数制御電圧を、第１のトラッキングフィルタ２のバリキャップダイオードに供給する。
【００１３】
次に動作について説明する。
このトラッキングフィルタの自動調整可能なチューナでは、トラッキングフィルタの特性の制御に、従来のローカル周波数信号を制御する制御電圧ＶＴに加えて、この制御電圧ＶＴを増減可能な補正回路を、第１のトラッキングフィルタ２と第２のトラッキングフィルタ４に対しそれぞれ１系統づつ設け、この補正回路に供給される補正値をＥＥＰＲＯＭ７へ記憶する。この場合、制御電圧ＶＴのみでは制御しきれないトラッキングフィルタの特性ズレや、各トラッキングフィルタ固有の各同調素子の値のばらつきにも対応可能なように、自動利得制御回路６から出力される信号強度モニタ信号をもとに、第１のトラッキングフィルタ２および第２のトラッキングフィルタ４を含む回路ごとの最適な補正値をＥＥＰＲＯＭ７へ記憶する。
そして、このＥＥＰＲＯＭ７から読み出した補正値を前記第１のトラッキングフィルタ２用の補正回路と、前記第２のトラッキングフィルタ４用の補正回路へ供給し、各バリキャップダイオードへ供給される制御電圧ＶＴを微調整する。
【００１４】
図２は、ＥＥＰＲＯＭ７へ記憶した補正値により制御電圧ＶＴが補正されるときの特性図である。図において、実線はローカル発振制御特性を示し、また、破線はトラッキングフィルタ最適制御特性を示しており、通常、受信周波数全帯域に渡ってローカル発振制御特性とトラッキングフィルタ最適制御特性とは一致せず、特性上のズレを有しており、ローカル発振制御特性すなわち制御電圧ＶＴを用いてトラッキングフィルタの制御特性を最適に保つことは困難であるが、制御電圧ＶＴのみでは制御しきれなかったトラッキングフィルタの前記特性ズレや、トラッキングフィルタ固有の各同調素子の値のばらつきに対応して、前記補正値により制御電圧ＶＴをＶ１からＶ２へ補正することができ、受信周波数全帯域に渡ってローカル発振制御特性とトラッキングフィルタ最適制御特性とを一致させることが出来、ローカル発振制御特性と前記補正値による補正特性とによりトラッキングフィルタの特性を常に最適に保つことが出来る。
また、前記補正値を決める際のフィルタ通過信号の信号強度の判定も、中間周波数信号など直接信号ラインを入力するのではなく、自動利得制御回路６のＡＧＣ制御電圧を信号強度モニタ信号として入力し用いるため、フィルタ通過信号の劣化などの悪影響が回避できる。
また、第１のトラッキングフィルタ２や第２のトラッキングフィルタ４を含む回路上の構成部品のバラツキによって前記回路ごとに補正量もそれぞれ変化するが、前記回路ごとにＥＥＰＲＯＭ７を設け、前記回路ごとの補正値を前記ＥＥＰＲＯＭ７へ記憶するため、各個体差を吸収して補正でき、チューナに用いた場合には各チューナの個体差に応じた補正が可能であり、均一な特性が得られる。
【００１５】
実施の形態２．
図３は、前記実施の形態１において説明したトラッキングフィルタの自動調整可能なチューナとその調整治具回路４１を示すブロック図である。なお、図３において図１と同一または相当の部分については同一の符号を付し説明を省略する。
図３において、チューナ部３１は、第１の補正用演算アンプ１１へ供給される補正値が入力される入力端子Ｃ１、第２の補正用演算アンプ１０へ供給される補正値が入力される入力端子Ｃ２、ＰＬＬ回路８へ供給されるＰＬＬ設定データが入力される入力端子Ｃ３、自動利得制御回路６から出力された信号強度モニタ信号を取り出すための出力端子Ｃ４、ＥＥＰＲＯＭ７へ補正値を書き込むための入力端子Ｃ５、ＥＥＰＲＯＭ７から読み出した補正値が出力される出力端子Ｃ６、自動利得制御回路６から出力された中間周波数信号を取り出すための出力端子Ｃ７を備えている。
【００１６】
調整治具回路４１は、チューナ部３１の第１の補正用演算アンプ１１へ供給される補正値が出力される出力端子Ｃ１１、第２の補正用演算アンプ１０へ供給される補正値が出力される出力端子Ｃ１２、ＰＬＬ回路８へ供給されるＰＬＬ設定データが出力される出力端子Ｃ１３、チューナ部３１の自動利得制御回路６から出力された信号強度モニタ信号を入力するための入力端子Ｃ１４、ＥＥＰＲＯＭ７へ補正値を書き込むための出力端子Ｃ１５、ＥＥＰＲＯＭ７から読み出した補正値を取り込むための入力端子Ｃ１６を備えている。また、マイクロコンピュータ２１と、入力端子Ｃ１４から入力された信号強度モニタ信号をディジタル信号へ変換するＡ／Ｄ変換器２２と、出力端子Ｃ１２へ供給する補正値をディジタル信号からアナログ信号へ変換するＤ／Ａ変換器２３と、出力端子Ｃ１１へ供給する補正値をディジタル信号からアナログ信号へ変換するＤ／Ａ変換器２４を備えている。
【００１７】
また、チューナ部３１は前記入力端子、出力端子により調整治具回路４１の出力端子、入力端子と接続され、調整治具回路４１により補正値が決定され、ＥＥＰＲＯＭ７へ保存される。
すなわち、チューナ部３１の入力端子Ｃ１は調整治具回路４１の出力端子Ｃ１１と接続し、チューナ部３１の入力端子Ｃ２は調整治具回路４１の出力端子Ｃ１２と接続し、チューナ部３１の入力端子Ｃ３は調整治具回路４１の出力端子Ｃ１３と接続する。さらに、チューナ部３１の出力端子Ｃ４は調整治具回路４１の入力端子Ｃ１４と接続し、チューナ部３１の入力端子Ｃ５は調整治具回路４１の出力端子Ｃ１５と接続する。
【００１８】
次に、調整治具回路４１を用いて補正値をチューナ部３１のＥＥＰＲＯＭ７へ保存する動作について説明する。
図４は、調整治具回路４１により補正値をチューナ部３１のＥＥＰＲＯＭ７へ保存する際の動作を示すフローチャートである。
先ず、調整治具回路４１のマイクロコンピュータ２１により、受信周波数がチューナ部３１のＰＬＬ回路８に設定される（ステップＳＴ１）。この受信周波数についての情報は、調整治具回路４１の出力端子Ｃ１３と、チューナ部３１の入力端子Ｃ３を経てＰＬＬ回路８へ送られる。この結果、ＰＬＬ回路８からはローカル発振制御用の制御電圧ＶＴが出力され、電圧制御発振回路９と、第１のトラッキングフィルタ２および第２のトラッキングフィルタ４のバリキャップダイオードへ供給され、電圧制御発振回路９はローカル発振を開始し、ＰＬＬ回路８はローカル発振制御を開始する（ステップＳＴ２）。一方、第１のトラッキングフィルタ２と第２のトラッキングフィルタ４のセンター周波数は特性ズレを含んだ値に設定される。
【００１９】
その後、マイクロコンピュータ２１は第１のトラッキングフィルタ２と第２のトラッキングフィルタ４に対し補正制御を開始する。この補正制御では、マイクロコンピュータ２１は、先ず、前記設定された受信周波数に応じて予め設定された補正値（初期値）をＤ／Ａ変換器２３およびＤ／Ａ変換器２４へ出力する（ステップＳＴ３）。続いて、チューナ部３１の出力端子Ｃ４と調整治具回路４１の入力端子Ｃ１４を経て、チューナ部３１の自動利得制御回路６が出力するＡＧＣ制御電圧である信号強度モニタ信号を取り込み、Ａ／Ｄ変換器２２を介してモニタする（ステップＳＴ４）。
【００２０】
そして、前記補正値を増加させて（ステップＳＴ５）、ＡＧＣ制御電圧である信号強度モニタ信号を取り込み、Ａ／Ｄ変換器２２を介してモニタを続け（ステップＳＴ６）、前記信号強度モニタ信号の増減を判定する（ステップＳＴ７）。この結果、前記信号強度モニタ信号が増加すれば、前記補正値をさらに増加させる。また、前記信号強度モニタ信号が増加から減少へ変化すれば、そのポイントの補正値を、調整治具回路４１の出力端子Ｃ１５とチューナ部３１の入力端子Ｃ５を経てＥＥＰＲＯＭ７へ記憶する（ステップＳＴ８）。そして、このときの受信周波数をチェックし（ステップＳＴ９）、終了か続行かを判定し（ステップＳＴ１０）、続行であればステップＳＴ１へ戻り次の受信周波数の設定を行い、ステップＳＴ２以下の処理を繰り返す。そして、同様な方法で全受信周波数帯について信号強度モニタ信号が増加から減少へ変化するポイントの補正値をＥＥＰＲＯＭ７へ記憶する。
【００２１】
なお、ステップＳＴ１において設定する受信周波数、ステップＳＴ３においてセットする補正値（初期値）については、外部から与えられるか、あるいはマイクロコンピュータ２１にあらかじめ設定されている。
【００２２】
この結果、チューナ部３１の製造に際し、生産ラインのチューナ部３１を調整するための調整治具を調整治具回路４１のような構成にし、調整治具回路４１を調整対象のチューナ部３１へ入力端子および出力端子により接続し、その後、図４に示すフローチャートを自動的に実行するようにプログラム化することで、チューナ部３１の調整工程を自動化できる。
【００２３】
実施の形態３．
図５は、前記実施の形態１において説明したトラッキングフィルタの自動調整可能なチューナが前記実施の形態２において説明した調整治具回路４１により調整され、ＥＥＰＲＯＭ７に補正値が記憶され、ラジオ受信機に組み込まれた状態を示すブロック図であり、図３と同一または相当の部分については同一の符号を付し説明を省略する。このラジオ受信機はトラッキングフィルタの自動調整回路が適用されるチューナ部３１と、受信アンテナ１、コントローラ部５１およびスピーカ６１を備えている。
【００２４】
コントローラ部５１は、Ｄ／Ａ変換器２３，２４とこのラジオ受信機の各部の制御を行うマイクロコンピュータ７１と、信号処理部２５、アンプ２６、キー操作部２７および表示部２８など、ラジオ受信機として必要な各種機能ブロックを備えている。また、出力端子Ｃ１１１，Ｃ１１２，Ｃ１１３，Ｃ１１８と入力端子Ｃ１１６，Ｃ１１７を備えている。出力端子Ｃ１１１は、チューナ部３１の第１の補正用演算アンプ１１へ供給される補正値が出力される。出力端子Ｃ１１２は、第２の補正用演算アンプ１０へ供給される補正値が出力される。出力端子Ｃ１１３は、ＰＬＬ回路８へ供給されるＰＬ設定データが出力される。入力端子Ｃ１１６は、ＥＥＰＲＯＭ７から読み出した補正値をマイクロコンピュータ７１が取り込むためのものである。また、入力端子１１７は、チューナ部３１の自動利得制御回路６から出力された中間周波数信号をコントローラ部５１の信号処理回路２５へ取り込むためのものである。出力端子Ｃ１１８は、アンプ２６により増幅された信号をスピーカ６１へ出力するためのものである。
【００２５】
そして、チューナ部３１の入力端子Ｃ１はコントローラ部５１の出力端子Ｃ１１１と接続し、チューナ部３１の入力端子Ｃ２はコントローラ部５１の出力端子Ｃ１１２と接続し、チューナ部３１の入力端子Ｃ３はコントローラ部５１の出力端子Ｃ１１３と接続する。さらに、チューナ部３１の出力端子Ｃ６はコントローラ部５１の入力端子Ｃ１１６と接続し、チューナ部３１の出力端子Ｃ７はコントローラ部５１の入力端子Ｃ１１７と接続する。
【００２６】
次に動作について説明する。
このラジオ受信機において特定の放送局が使用する放送電波の周波数帯域を受信しようとする場合、キー操作部２７が操作され、選局が行われ、受信周波数が指定される。マイクロコンピュータ７１は、この指定された受信周波数をチューナ部３１のＰＬＬ回路８に設定し、ＰＬＬ回路８はローカル発振制御を開始し、制御電圧ＶＴを出力する。マイクロコンピュータ７１は、前記指定された受信周波数に対応した補正値をチューナ部３１のＥＥＰＲＯＭ７から読み出し、Ｄ／Ａ変換器２３を介して第２の補正用演算アンプ１０へ、またＤ／Ａ変換器２４を介して第１の補正用演算アンプ１１へ出力する。この補正値は、このラジオ受信機に用いられたチューナ部３１固有の補正値であり、チューナ部３１の個体差に応じた補正が可能であり、第１のトラッキングフィルタ２や第２のトラッキングフィルタ４の特性ズレによる受信信号の減衰が抑制され、最適な受信特性を実現できる。
【００２７】
図７は、ＥＥＰＲＯＭ７に記憶された第１のトラッキングフィルタ２のバリキャップダイオードへ供給される制御電圧ＶＴの補正値（ＴＢＰＦ１データ）と、第２のトラッキングフィルタ４のバリキャップダイオードへ供給される制御電圧ＶＴの補正値（ＴＢＰＦ２データ）を示す説明図である。
また、図６は、各チャネルごとの欧州向けの受信周波数とカナダ向けの受信周波数を示し、このように欧州向けの受信周波数とカナダ向けの受信周波数は各チャネルごとにわずかに異なっている。このため、図７に示すように欧州向けの受信周波数とカナダ向けの受信周波数にそれぞれ対応したそのラジオ受信機固有の補正値を前記チャネルに対応させてＥＥＰＲＯＭ７へ記憶するようにすれば、同一の工程で製造されたラジオ受信機を「欧州向け」と「カナダ向け」などのように複数の輸出先国の受信周波数に対応させることが可能になる。
【００２８】
また、トラッキングフィルタの特性が全周波数帯にわたってリニアな特性を示すチューナ部３１であれば、調整工程における補正値の設定を数ポイントに限定し、その間のポイントを平均値補正し求めることで、調整工程に要する時間を短縮できる。
【００２９】
【発明の効果】
以上のように、この発明によれば、位相ロック回路が出力した制御電圧を調整したときの自動利得制御回路が出力する自動利得制御電圧の変化をもとに決定された補正値により、前記制御電圧を補正する補正回路を備えるように構成したので、前記補正回路により前記補正値を用いて、前記位相ロック回路が出力した制御電圧を補正することで、トラッキングフィルタを構成する各同調素子の値のばらつきを含む回路ごとの個体差の違いを吸収し、全ての受信周波数に対応したトラッキングフィルタの調整を自動的に行うことができる効果がある。
【図面の簡単な説明】
【図１】この発明の実施の形態１のトラッキングフィルタの自動調整可能なチューナの構成を示すブロック図である。
【図２】この発明の実施の形態１のトラッキングフィルタの自動調整可能なチューナにおいてＥＥＰＲＯＭへ記憶した補正値により制御電圧が補正されるときの特性図である。
【図３】この発明の実施の形態２におけるトラッキングフィルタの自動調整可能なチューナとその調整治具回路を示すブロック図である。
【図４】この発明の実施の形態２のトラッキングフィルタの自動調整可能なチューナにおいて調整治具回路により補正値をＥＥＰＲＯＭへ保存する際の動作を示すフローチャートである。
【図５】この発明の実施の形態１のトラッキングフィルタの自動調整可能なチューナがラジオ受信機に組み込まれた状態を示すブロック図である。
【図６】各チャネルごとの欧州向けの受信周波数とカナダ向けの受信周波数を示す説明図である。
【図７】ＥＥＰＲＯＭへ記憶された第１のトラッキングフィルタおよび第２のトラッキングフィルタへ供給される制御電圧ＶＴの補正値を示す説明図である。
【符号の説明】
２，４  トラッキングフィルタ、６  自動利得制御回路、７  ＥＥＰＲＯＭ（記憶手段）、８  ＰＬＬ回路（位相ロック回路）、９  電圧制御発振回路（位相ロック回路）、１０  第２の補正用演算アンプ（補正回路）、１１  第１の補正用演算アンプ（補正回路）。
【図１】
2004215034.tif 000003
【図２】
2004215034.tif 000004
【図３】
2004215034.tif 000005
【図４】
2004215034.tif 000006
【図５】
2004215034.tif 000007
【図６】
2004215034.tif 000008
【図７】
2004215034.tif 000009